(57)【特許請求の範囲】
【請求項１】
処置液収容体を支持する支柱と、患者を支持する患者支持装置とは別体に設けられて該患者支持装置から独立して滑動可能な基台とを、含んで構成されており、該支柱の下部が該基台に対して着脱可能に取り付けられた点滴スタンドであって、
前記基台において、水平方向となる側方に向かって開口する開放口が開閉可能とされたチャック部材を設けて、該チャック部材における該開放口の開状態で前記支柱の下部を側方から出し入れ可能にすると共に、該チャック部材における該開放口の閉状態で該支柱の下部を把持して支持可能としたことを特徴とする点滴スタンド。
【請求項２】
前記チャック部材を閉状態に保持する第一のばね手段を設けると共に、該第一のばね手段による閉状態への保持力に抗して該チャック部材を開方向に作動させる開操作手段を設けた請求項１に記載の点滴スタンド。
【請求項３】
前記チャック部材を開状態に保持する第二のばね手段を設けて、前記第一のばね手段と該第二のばね手段とにより、該チャック部材が開状態と閉状態とに選択的に状態保持されるようにした請求項２に記載の点滴スタンド。
【請求項４】
前記第一のばね手段と前記第二のばね手段が、一つのばね部材によって構成されている請求項３に記載の点滴スタンド。
【請求項５】
前記チャック部材として、開閉可能に組み合わされた一対の半円状の開閉部材を用いると共に、
前記ばね部材として、底部と両側壁からなる溝形の金属ばねを用い、
前記一対の開閉部材の開閉軸よりも奥方に該金属ばねを配置して、
該金属ばねの両側壁の各先端部分を該一対の開閉部材の各一方に係止させると共に、
かかる金属ばねの開閉部材への係止位置を、該開閉部材の閉状態では該開閉部材の開閉軸より前記支柱側となり、且つ、該開閉部材の開状態では該開閉部材の開閉軸より該支柱と反対側となるようにして、
該金属ばねにおける該両側壁の接近方向への弾性力が、該開閉部材に対して閉状態への保持力および開状態への保持力として選択的に及ぼされるようにした請求項４に記載の点滴スタンド。
【請求項６】
前記一対の開閉部材の前記開閉軸よりも奥方に押圧部材を配設すると共に、
閉状態とされた該一対の開閉部材に対して該押圧部材を奥方から押し付けることにより、該一対の開閉部材の前記開閉軸を前記金属ばねの係止位置よりも前記支柱側に押し出して該一対の開閉部材を開方向に作動させる外部操作部材を設けることによって、
前記開操作手段が構成されている請求項５に記載の点滴スタンド。
【請求項７】
前記押圧部材を外部入力で作動させる前記外部操作部材が足踏式のペダル構造とされていると共に、
該外部操作部材に及ぼされた外部入力を該押圧部材に伝達する駆動ロッドが設けられており、
前記一対の開閉部材の開方向への変位を阻止するストッパ片が該駆動ロッドに形成されて、該外部操作部材で該駆動ロッドが変位せしめられることにより該ストッパ片が該一対の開閉部材に対する変位阻止位置から外れて該一対の開閉部材の開作動が許容されるようになっている請求項６に記載の点滴スタンド。
【請求項８】
前記一対の開閉部材が、それぞれ半円状の断面形状をもって上下方向に延びる長手構造とされている請求項５〜７の何れか１項に記載の点滴スタンド。
【請求項９】
前記基台には前記チャック部材を収容する収容スペースが形成されたハウジングが設けられていると共に、該収容スペースには側方に開口する側方窓部が設けられており、該側方窓部を通じて、開状態とされた該チャック部材に対して前記支柱が側方から出入れ可能とされている一方、
該ハウジングにおいて該側方窓部を覆う蓋体が設けられていると共に、該蓋体と該チャック部材との間には、該蓋体によって該側方窓部を覆った状態下で該チャック部材を閉状態に係止保持するロック機構が設けられている請求項１〜８の何れか１項に記載の点滴スタンド。
【請求項１０】
前記基台において、前記支柱の下部を軸方向で位置決め支持する軸方向支持部を設けた請求項１〜９の何れか１項に記載の点滴スタンド。
【請求項１１】
前記基台において、前記支柱の下部を中心軸回りの周方向で位置決めする周方向位置決め手段を設けた請求項１〜１０の何れか１項に記載の点滴スタンド。
【請求項１２】
前記基台とは別体に設けられて前記患者支持装置に固定されるフレームに対して、前記支柱の下部を固定的に支持する固定支持部を設けると共に、
該基台の前記チャック部材による該支柱の支持状態において該支柱の軸方向で該チャック部材から外れた位置に該フレームにおける該固定支持部を設けて、該基台の該チャック部材で支持せしめた該支柱を該フレームの該固定支持部でも同時に支持可能とし、
該基台の該チャック部材と該フレームの該固定支持部との両方での該支柱の支持状態から、該基台の該チャック部材と該フレームの該固定支持部との一方による支持を解除することで、該支柱を該基台と該フレームとの間で受け渡し可能とした請求項１〜１１の何れか１項に記載の点滴スタンド。
【請求項１３】
前記フレームにおける前記固定支持部が、前記支柱の下部を軸直角方向で位置決め支持する把持部と、該支柱の下部を軸方向で位置決め支持する載置部とを、含んで構成されている請求項１２に記載の点滴スタンド。
【請求項１４】
前記載置部において、前記把持部で把持された前記支柱の下端に向かって突出位置せしめられて、該支柱の下端に対する係合状態に保持されることにより該支柱の下端を軸直角方向で位置決めする係合部材を設けると共に、
該係合部材を突出位置から下方に向かって変位せしめて該支柱の下端への係合を解除する解除操作部材を設けて、且つ、
前記基台と該フレームとの間での該支柱の受け渡しに際して該フレームに該基台が接近せしめられることにより該解除操作部材が該基台側の部材で押圧作動せしめられて該係合部材の該支柱への係合が解除されるようにした請求項１３に記載の点滴スタンド。
【請求項１５】
前記支柱の下端面に開口する係合凹所が設けられており、前記係合部材が突出せしめられることにより該係合凹所に対して下方から差し入れられて凹凸係合されるようになっている請求項１４に記載の点滴スタンド。
【請求項１６】
前記固定支持部を構成する前記把持部が、
開閉可能とされて開状態で前記支柱の下部が側方から出し入れ可能とされると共に閉状態で該支柱の下部を把持して支持せしめるフレーム側チャック部材を構成する一対のフレーム側開閉部材と、
それら一対のフレーム側開閉部材を開作動と閉位置とに選択的に保持せしめるフレーム側ばね部材と、
それら一対のフレーム側開閉部材の奥方に配設されて閉状態とされた該一対のフレーム側開閉部材を奥方から押圧することで開作動させるフレーム側押圧部材と、
外部操作力を該フレーム側押圧部材に及ぼして該フレーム側押圧部材を該一対のフレーム側開閉部材に対して奥方から押圧駆動させることにより、該一対のフレーム側開閉部材を開作動せしめるフレーム側外部操作部材と
を、含んで構成されている請求項１４又は１５に記載の点滴スタンド。
【請求項１７】
前記一対のフレーム側開閉部材を閉状態に保持せしめて該一対のフレーム側開閉部材の閉状態から開状態への作動を阻止する開作動規制手段を設けると共に、
前記フレーム側外部操作部材による前記フレーム側押圧部材の該一対のフレーム側開閉部材に対する押圧駆動に伴って、該開作動規制手段による該一対のフレーム側開閉部材の開作動の阻止状態が連動して解除されるようにした請求項１６に記載の点滴スタンド。
【請求項１８】
前記フレーム側外部操作部材における外部操作力による変位を阻止する第一の安全ロック機構を設けて、該第一の安全ロック機構を解除する操作が行われたことを条件として、該フレーム側外部操作部材による前記フレーム側押圧部材の前記一対のフレーム側開閉部材に対する押圧駆動が許容されるようにした請求項１６又は１７に記載の点滴スタンド。
【請求項１９】
前記フレームには、前記フレーム側開閉部材を収容するフレーム側ハウジングが設けられていると共に、
該フレーム側ハウジングには側方に開口する側方窓部が設けられており、該側方窓部を通じて、開状態とされた該フレーム側開閉部材に対して前記支柱が側方から出し入れ可能とされている一方、
該フレーム側ハウジングにおいて該側方窓部を覆うフレーム側蓋体が開閉可能に設けられていると共に、
該フレーム側蓋体と該フレーム側開閉部材との間には、該フレーム側蓋体によって該側方窓部を覆った状態下で該フレーム側開閉部材を閉状態に係止保持する第二の安全ロック機構が設けられている請求項１６〜１８の何れか１項に記載の点滴スタンド。
【発明の詳細な説明】
【技術分野】
【０００１】
本発明は、患者治療に必要な薬液や血液などの処置液を収容した点滴バッグや点滴瓶、輸液バッグなどの処置液収容体を吊り下げる等して支持する点滴スタンドに係る。特に、本発明は、処置液収容体を支持する支柱がキャスタ等を備えた基台から着脱可能とされて、支柱ごと処置液収容体を患者用ベッドや車椅子等に移設することができる点滴スタンドに関する。
【背景技術】
【０００２】
従来から、薬液や血液，電解質，水分などの処置液を患者に輸液する治療に際しては、特開２０１１−１０６８２号公報（特許文献１）に記載の如き点滴スタンドが用いられている。点滴スタンドは、キャスター等で滑動可能とされた基台に対して支柱が固定されており、この支柱に対して点滴バッグなどの処置液収容体を吊り下げたり、ポンプやセンサ等の医療機器を取り付ける等して支持せしめるようになっている。
【０００３】
ところで、輸液や点滴等を施したままの状態で患者を移動させる必要に迫られる場合がある。例えば、入院中の患者を検査室や治療室，手術室へ移動させる場合などが挙げられる。
【０００４】
ところが、従来では、点滴スタンドが病室や検査室ごとに備えつけられており、患者を移動させる際には、移動前の部屋に配備された点滴スタンドから取り外した処置液収容体や医療機器を移動用ベッドの上へ置いて移動させた後、移動後の部屋に配備された点滴スタンドへ付け替える作業が必要であった。そのために、点滴スタンドに対する処置液収容体や医療機器の脱着作業に多くの労力と時間が費やされるという問題があった。しかも、かかる作業には、チューブの潰れや配線の外れ等のアクシデントが発生しないように細心の注意が要求されることから、担当者の心身負担も大きかった。
【０００５】
なお、かかる問題に対処するために、ＷＯ０２／１５８３７Ａ１（特許文献２）には、処置液収容体を支持する支柱をキャスタ等を備えた基台から上方に抜き取り可能な構造として、当該支柱をベッドに設けた連結具に支持せしめて基台を取り外すことにより、点滴スタンドの支柱をそのままベッド装着用支柱として利用可能にすることが提案されている。
【０００６】
しかしながら、かかる特許文献２に開示された点滴スタンドでは、ベッドの連結具で支柱を支持せしめた後に、支柱を基台から上方に抜き取るためにベッド全体を上方に持ち上げなければならず、その作業が面倒で時間もかかるという問題があった。なお、ベッドの連結具で支柱を支持させた後も、基台を支柱から取り外さずにおくことも考えられるが、支柱から張り出した基台が治療などの邪魔になり、治療担当者が基台につまずいたり、各種の医療器具が基台に引っ掛かったりするおそれがあることから現実的でない。
【先行技術文献】
【特許文献】
【０００７】
【特許文献１】特開２０１１−１０６８２号公報
【特許文献２】ＷＯ０２／１５８３７Ａ１
【発明の概要】
【発明が解決しようとする課題】
【０００８】
本発明は上述の如き事情を背景として為されたものであり、その解決課題とするところは、輸液バッグ等を支持する支柱を基台に対して容易に且つ速やかに着脱することが出来、かかる支柱のベッド等への移設も容易とされた、新規な構造の点滴スタンドを提供することにある。
【課題を解決するための手段】
【０００９】
本発明の第一の態様は、処置液収容体を支持する支柱と、患者を支持する患者支持装置とは別体に設けられて該患者支持装置から独立して滑動可能な基台とを、含んで構成されており、該支柱の下部が該基台に対して着脱可能に取り付けられた点滴スタンドであって、前記基台において、水平方向となる側方に向かって開口する開放口が開閉可能とされたチャック部材を設けて、該チャック部材における該開放口の開状態で前記支柱の下部を側方から出し入れ可能にすると共に、該チャック部材における該開放口の閉状態で該支柱の下部を把持して支持可能とした点滴スタンドを、特徴とする。
【００１０】
本態様の点滴スタンドでは、開閉可能なチャック部材を採用したことにより、支柱を基台に対して側方から出し入れすることで脱着可能とした。これにより、支柱を基台から取り外す際に、毎々支柱を上方に持ち上げる必要がなくなり、支柱をベッド等へ移設する作業を容易に且つ速やかに行うことが可能となる。
【００１１】
本発明の第二の態様は、第一の態様に係る点滴スタンドにおいて、前記チャック部材を閉状態に保持する第一のばね手段を設けると共に、該第一のばね手段による閉状態への保持力に抗して該チャック部材を開方向に作動させる開操作手段を設けたものである。
【００１２】
本態様の点滴スタンドでは、第一のばね手段による付勢力を利用して、チャックを閉じて支柱を保持せしめた状態に維持せしめることが可能となり、チャック部材による支柱の安定保持が実現され得る。また、開操作手段を設けたことにより、第一のばね手段による支柱の保持状態を容易に解除して、支柱を基台から取り外すことも可能とされる。
【００１３】
本発明の第三の態様は、第二の態様に係る点滴スタンドにおいて、前記チャック部材を開状態に保持する第二のばね手段を設けて、前記第一のばね手段と該第二のばね手段とにより、該チャック部材が開状態と閉状態とに選択的に状態保持されるようにしたものである。
【００１４】
本態様の点滴スタンドでは、チャック部材の作動状態が、支柱の着脱操作を可能とする開状態と、支柱の保持状態を維持する閉状態とに、択一的に発現される。それ故、チャック部材の開状態下での支柱の着脱操作を安定して行うことができると共に、チャック部材の閉状態下での支柱の安定保持が実現可能となる。
【００１５】
本発明の第四の態様は、第三の態様に係る点滴スタンドにおいて、前記第一のばね手段と前記第二のばね手段が、一つのばね部材によって構成されているものである。
【００１６】
本態様の点滴スタンドでは、チャック部材を閉状態に保持する第一のばね手段と開状態に保持する第二のばね手段とが、一つのばね部材により少ない部品点数と省スペースをもって実現され得る。
【００１７】
本発明の第五の態様は、第四の態様に係る点滴スタンドにおいて、前記チャック部材として、開閉可能に組み合わされた一対の半円状の開閉部材を用いると共に、前記ばね部材として、底部と両側壁からなる溝形の金属ばねを用い、前記一対の開閉部材の開閉軸よりも奥方に該金属ばねを配置して、該金属ばねの両側壁の各先端部分を該一対の開閉部材の各一方に係止させると共に、かかる金属ばねの開閉部材への係止位置を、該開閉部材の閉状態では該開閉部材の開閉軸より前記支柱側となり、且つ、該開閉部材の開状態では該開閉部材の開閉軸より該支柱と反対側となるようにして、該金属ばねにおける該両側壁の接近方向への弾性力が、該開閉部材に対して閉状態への保持力および開状態への保持力として選択的に及ぼされるようにしたものである。
【００１８】
本態様の点滴スタンドでは、チャック部材と、該チャック部材を開状態および閉状態に択一的に弾性保持せしめる第一及び第二のばね手段とを、少ない部品点数と簡単な構造をもって効果的に実現することが可能となる。なお、一対の開閉部材の開閉軸は、一対の開閉部材を相互に直接連結する軸部材である必要はなく、例えば後述する実施形態に示すように、金属ばねの付勢力に基づいて一対の開閉部材が組合せ状態に保持されることで作動上又は仮想上の開閉軸が構成されていても良い。
【００１９】
本発明の第六の態様は、第五の態様に係る点滴スタンドにおいて、前記一対の開閉部材の前記開閉軸よりも奥方に押圧部材を配設すると共に、閉状態とされた該一対の開閉部材に対し該押圧部材を奥方から押し付けることにより、該一対の開閉部材の前記開閉軸を前記金属ばねの係止位置よりも前記支柱側に押し出して該一対の開閉部材を開方向に作動させる外部操作部材を設けることによって、前記開操作手段が構成されているものである。
【００２０】
本態様の点滴スタンドでは、外部操作部材に人力を外部から加えることにより、基台の内部等に組み込まれて閉状態に保持された一対の開閉部材に対して、開方向の作動力を及ぼすことが出来る。これにより、かかる一対の開閉部材で支持された支柱を、外部操作により、良好な作業性をもって容易に取り出すことが可能となる。
【００２１】
本発明の第七の態様は、第六の態様に係る点滴スタンドにおいて、前記押圧部材を外部入力で作動させる前記外部操作部材が足踏式のペダル構造とされていると共に、該外部操作部材に及ぼされた外部入力を該押圧部材に伝達する駆動ロッドが設けられており、前記一対の開閉部材の開方向への変位を阻止するストッパ片が該駆動ロッドに形成されて、該外部操作部材で該駆動ロッドが変位せしめられることにより該ストッパ片が該一対の開閉部材に対する変位阻止位置から外れて該一対の開閉部材の開作動が許容されるようになっているものである。
【００２２】
本態様の点滴スタンドでは、足踏式のペダル構造とされた外部操作部材により、手を使わなくても一対の開閉部材を開操作することができて作業が容易になる。しかも、外部操作部材を足踏操作しない限り、一対の開閉部材の開作動がストッパ片で阻止されることから、外力や誤操作などによって予期せずに一対の開閉部材が開作動するアクシデントが防止される。
【００２３】
本発明の第八の態様は、第五〜七の何れかの態様に係る点滴スタンドにおいて、前記一対の開閉部材が、それぞれ半円状の断面形状をもって上下方向に延びる長手構造とされているものである。
【００２４】
本態様の点滴スタンドでは、少ない開閉部材により、支柱に対して大きな保持力を効率的に及ぼすことが可能となる。また、支柱に対する保持力を充分に確保しつつ、開閉部材を少なくすることで、部品点数の減少が図られると共に、開閉部材の開作動や閉作動の操作機構の簡略化等も実現可能となる。
【００２５】
本発明の第九の態様は、第一〜八の何れかの態様に係る点滴スタンドにおいて、前記基台には前記チャック部材を収容する収容スペースが形成されたハウジングが設けられていると共に、該収容スペースには側方に開口する側方窓部が設けられており、該側方窓部を通じて、開状態とされた該チャック部材に対して前記支柱が側方から出入れ可能とされている一方、該ハウジングにおいて該側方窓部を覆う蓋体が設けられていると共に、該蓋体と該チャック部材との間には、該蓋体によって該側方窓部を覆った状態下で該チャック部材を閉状態に係止保持するロック機構が設けられているものである。
【００２６】
本態様の点滴スタンドでは、ハウジングおよび蓋体によって、支柱のチャック部材による支持部が覆われることから、支持部の各種機構の保護効果が発揮されると共に、カバー部分による意匠的効果も発揮される。更に、蓋体を閉じることで機能するロック機構により、チャック部材による支柱の支持状態が予期せずに解除されることが確実に防止されて、安全性の向上が図られ得る。また、蓋体を開くことでロック機構が連動的に解除されるようにすれば、ロック機構を設けたことに伴う、チャック部材からの支柱の取り外し操作への支障も回避され得る。
【００２７】
本発明の第十の態様は、前記第一〜九の何れかの態様に係る点滴スタンドであって、前記基台において、前記支柱の下部を軸方向で位置決め支持する軸方向支持部を設けたものである。
【００２８】
本態様の点滴スタンドでは、支柱に対して軸直角方向の支持力を及ぼすチャック部材とは別に、支柱に対して軸方向の支持力を及ぼす軸方向支持部を設けて、支柱の支持機能を分担させたことにより、支柱に対する一層大きな支持力を効率的に得ることが可能となる。
【００２９】
本発明の第十一の態様は、前記第一〜十の何れかの態様に係る点滴スタンドであって、前記基台において、前記支柱の下部を中心軸回りの周方向で位置決めする周方向位置決め手段を設けたものである。
【００３０】
本態様の点滴スタンドでは、輸液バッグ等が吊り下げられた支柱が、外部衝撃などによって不用意に回転してしまうことが防止される。それ故、支柱に吊り下げられた輸液バッグ等や輸液ラインなどの周方向位置が、支柱の回転によって予期せずに変化してしまったりする不具合が回避される。
【００３１】
本発明の第十二の態様は、前記第一〜十一の何れかの態様に係る点滴スタンドにおいて、前記基台とは別体に設けられて前記患者支持装置に固定されるフレームに対して、前記支柱の下部を固定的に支持する固定支持部を設けると共に、該基台の前記チャック部材による該支柱の支持状態において該支柱の軸方向で該チャック部材から外れた位置に該フレームにおける該固定支持部を設けて、該基台の該チャック部材で支持せしめた該支柱を該フレームの該固定支持部でも同時に支持可能とし、該基台の該チャック部材と該フレームの該固定支持部との両方での該支柱の支持状態から、該基台の該チャック部材と該フレームの該固定支持部との一方による支持を解除することで、該支柱を該基台と該フレームとの間で受け渡し可能としたものである。
【００３２】
本態様の点滴スタンドでは、基台に支持された支柱を、移動用や検査用，施術用等の各種ベッドや車椅子などの患者支持装置に対して容易且つ安全に、しかも安定して速やかに移設することが可能となる。特に、かかる支柱の移設に際して、支柱が基台と患者支持装置との両方で同時に支持された状態を介して、それら基台と患者支持装置との一方から他方に受け渡されることから、移設に際しても処理液収容体などが吊り下げられた支柱の重力を担当者が支持する必要もなく、少ない労力で安全に支柱の移設を行うことが可能となる。
【００３３】
本発明の第十三の態様は、前記第十二の態様に係る点滴スタンドにおいて、前記フレームにおける前記固定支持部が、前記支柱の下部を軸直角方向で位置決め支持する把持部と、該支柱の下部を軸方向で位置決め支持する載置部とを、含んで構成されているものである。
【００３４】
本態様の点滴スタンドでは、患者支持装置において、支柱の軸直角方向の支持力と軸方向の支持力とを、把持部と載置部とに分担させて設定することが出来ることから、支柱に対する一層大きな支持力を効率的に得ることが可能となる。
【００３５】
本発明の第十四の態様は、前記第十三の態様に係る点滴スタンドであって、前記載置部において、前記把持部で把持された前記支柱の下端に向かって突出位置せしめられて、該支柱の下端に対する係合状態に保持されることにより該支柱の下端を軸直角方向で位置決めする係合部材を設けると共に、該係合部材を突出位置から下方に向かって変位せしめて該支柱の下端への係合を解除する解除操作部材を設けて、且つ、前記基台と該フレームとの間での該支柱の受け渡しに際して該フレームに該基台を接近せしめられることにより該解除操作部材が該基台側の部材で押圧作動せしめられて該係合部材の該支柱への係合が解除されるようにしたものである。
【００３６】
本態様の点滴スタンドでは、フレームの載置部への取付状態において、支柱の下端を係合部材により簡単な構造で確実に位置決めして保持することができる。しかも、かかる係合部材は、特別な解除操作を必要とすることなく、フレームに基台を接近させるだけで解除されることから、フレームから基台へ支柱を移動させる操作を妨げることもない。
【００３７】
本発明の第十五の態様は、前記第十四の態様に係る点滴スタンドであって、前記支柱の下端面に開口する係合凹所が設けられており、前記係合部材が突出せしめられることにより該係合凹所に対して下方から差し入れられて凹凸係合されるようになっているものである。
【００３８】
本態様の点滴スタンドでは、支柱の下端面への係合部材の係合構造が、よりコンパクトに実現可能となる。即ち、カップ状の凹所を係合部材の先端面に開口形成して、この凹所に対して支柱の下端嵌め入れることで係止構造を実現することも可能であるが、本態様では、支柱の下端面から内部に向けて係合部材を嵌め入れることにより、一層小さなサイズで、支柱の下端面への併合部材の係合構造が実現可能となる。
【００３９】
本発明の第十六の態様は、前記第十四又は第十五の態様に係る点滴スタンドであって、前記固定支持部を構成する前記把持部が、開閉可能とされて開状態で前記支柱の下部が側方から出し入れ可能とされると共に閉状態で該支柱の下部を把持して支持せしめるフレーム側チャック部材を構成する一対のフレーム側開閉部材と、それら一対のフレーム側開閉部材を開作動と閉位置とに選択的に保持せしめるフレーム側ばね部材と、それら一対のフレーム側開閉部材の奥方に配設されて閉状態とされた該一対のフレーム側開閉部材を奥方から押圧することで開作動させるフレーム側押圧部材と、外部操作力を該フレーム側押圧部材に及ぼして該フレーム側押圧部材を該一対のフレーム側開閉部材に対して奥方から押圧駆動させることにより、該一対のフレーム側開閉部材を開作動せしめるフレーム側外部操作部材とを、含んで構成されているものである。
【００４０】
本態様の点滴スタンドでは、一対のフレーム側開閉部材がフレーム側ばね部材によって開状態と閉状態とに選択的に位置決めされることから、一対のフレーム側開閉部材による支柱の把持状態と開放状態とが明確に且つ選択的に発現されて、支柱の把持と開放とが安定して切換作動せしめられ得る。
【００４１】
本発明の第十七の態様は、前記第十六の態様に係る点滴スタンドであって、前記一対のフレーム側開閉部材を閉状態に保持せしめて該一対のフレーム側開閉部材の閉状態から開状態への作動を阻止する開作動規制手段を設けると共に、前記フレーム側外部操作部材による前記フレーム側押圧部材の該一対のフレーム側開閉部材に対する押圧駆動に伴って、該開作動規制手段による該一対のフレーム側開閉部材の開作動の阻止状態が連動して解除されるようにしたものである。
【００４２】
本態様の点滴スタンドでは、支柱を把持して閉状態とされた一対のフレーム側開閉部材における予期しない開作動が、開作動規制手段によって防止されることから支柱の把持が一層安定して実現され得る。しかも、かかる開作動規制手段による一対のフレーム側開閉部材の開作動阻止状態は、一対のフレーム側開閉部材を開作動させるためのフレーム側外部操作部材の作動に伴って解除されることから、開作動規制手段を設けたことにより一対のフレーム側開閉部材の開操作が著しく煩雑となることもない。
【００４３】
本発明の第十八の態様は、前記第十六又は第十七の態様に係る点滴スタンドであって、前記フレーム側外部操作部材における外部操作力による変位を阻止する第一の安全ロック機構を設けて、該第一の安全ロック機構を解除する操作が行われたことを条件として、該フレーム側外部操作部材による前記フレーム側押圧部材の前記一対のフレーム側開閉部材に対する押圧駆動が許容されるようにしたものである。
【００４４】
本態様の点滴スタンドでは、外部操作部材そのものの変位を阻止する第一の安全ロック機構を設けたことにより、例えば他部材等が予期せずに外部操作部材に打ち当たる等しても、一対のフレーム側開閉部材が不意に開いてしまうことがなく、支柱の把持状態が確実に維持され得る。
【００４５】
本発明の第十九の態様は、前記第十六〜十八の何れかの態様に係る点滴スタンドであって、前記フレームには、前記フレーム側開閉部材を収容するフレーム側ハウジングが設けられていると共に、該フレーム側ハウジングには側方に開口する側方窓部が設けられており、該側方窓部を通じて、開状態とされた該フレーム側開閉部材に対して前記支柱が側方から出し入れ可能とされている一方、該フレーム側ハウジングにおいて該側方窓部を覆うフレーム側蓋体が開閉可能に設けられていると共に、該フレーム側蓋体と該フレーム側開閉部材との間には、該フレーム側蓋体によって該側方窓部を覆った状態下で該フレーム側開閉部材を閉状態に係止保持する第二の安全ロック機構が設けられているものである。
【００４６】
本態様では、第二の安全ロック機構を構成するフレーム側蓋部材が開かれない限り、一対のフレーム側開閉部材による支柱の把持状態が一層確実に安定して維持され得て、誤操作による一対のフレーム側開閉部材の開作動も効果的に防止され得る。
【発明の効果】
【００４７】
本発明に従う構造とされた点滴スタンドでは、支柱を上方に持ち上げることなく基台に対して側方から出し入れすることで、基台に対して支柱を脱着することができる。それ故、例えば支柱をベッド等へ移設する作業等も容易に且つ速やかに行うことが可能になる。
【図面の簡単な説明】
【００４８】
【図１】本発明の一実施形態としての点滴スタンドの全体構造を示す正面図。
【図２】図１に示した点滴スタンドの全体構造を示す斜視図。
【図３】図２に示した点滴スタンドにおいて支柱を基台から取り外した状態を示す斜視図。
【図４】図１に示した点滴スタンドを構成する支柱を示す側面説明図。
【図５】図１に示した点滴スタンドを構成する基台を示す縦断面図。
【図６】図５に示した基台における支柱の軸方向支持部を拡大して示す説明図。
【図７】図５におけるＶＩＩ−ＶＩＩ断面図。
【図８】図７におけるＶＩＩＩ−ＶＩＩＩ断面図。
【図９】基台に設けられた一対の開閉部材の開状態を示す、図７に対応する横断面図。
【図１０】図９におけるＸ−Ｘ断面図。
【図１１】基台に設けられた一対の開閉部材の閉状態を示す背面図。
【図１２】図１１におけるＸＩＩ−ＸＩＩ断面図。
【図１３】基台における外部操作部材を示す説明図。
【図１４】図１３に示された外部操作部材の作動を説明するための要部拡大図。
【図１５】患者支持装置に装着されて支柱を支持する固定支持部の構造を示す斜視図。
【図１６】図１５に示した固定支持部による支柱の支持状態を示す斜視図。
【図１７】図１に示した点滴スタンドを用いて患者支持装置であるベッドに支柱を受け渡して移設する操作を説明するための説明図。
【図１８】図１７（ｂ）に示した支柱の受け渡し操作を説明するための要部拡大縦断面図。
【図１９】本発明の第二の実施形態としての点滴スタンドにおいて蓋体を取り外した状態での全体構造を示す斜視図。
【図２０】図１９に示された点滴スタンドにおいて一対の開閉部材の開方向への変位をストッパ片が阻止せしめた状態を示す要部側面図。
【図２１】図２０における斜視説明図。
【図２２】図１９に示された点滴スタンドにおいてストッパ片が解除されて一対の開閉部材が開作動せしめられた状態を示す要部側面図。
【図２３】図２２における斜視説明図。
【図２４】患者支持装置に装着されて支柱を支持する固定支持部を備えたフレーム構造体であって、図１５とは異なる構造をもって構成されて、図１９に示された点滴スタンドと組み合わせられることにより用いられるフレーム構造体による支柱の把持状態を示す縦断面図。
【図２５】図２４に示されたフレーム構造体を構成する下方の固定支持部を斜め上方から示す斜視図。
【図２６】図２５に示された下方の固定支持部を斜め下方から示す斜視図。
【図２７】図２５に示された下方の固定支持部の縦断面図であって、図２８におけるＸＸＶＩＩ−ＸＸＶＩＩ断面図。
【図２８】図２７におけるＸＸＶＩＩＩ−ＸＸＶＩＩＩ断面図。
【図２９】図２７に示された下方の固定支持部における別の作動状態を示す、図２８におけるＸＸＩＸ−ＸＸＩＸ断面に相当する縦断面図。
【図３０】図２４に示されたフレーム構造体で支持された支柱を、図１９に示された点滴スタンドへ受け渡す操作を説明するための第一の状態説明図。
【図３１】図２４に示されたフレーム構造体で支持された支柱を、図１９に示された点滴スタンドへ受け渡す操作を説明するための第二の状態説明図。
【図３２】図２４に示されたフレーム構造体で支持された支柱を、図１９に示された点滴スタンドへ受け渡す操作を説明するための第三の状態説明図。
【図３３】図２４に示されたフレーム構造体を構成する上方の固定支持部を斜め上方から示す斜視図。
【図３４】図３３に示された上方の固定支持部の透視平面図。
【図３５】図３３に示された上方の固定支持部の透視側面図。
【図３６】図３４におけるＸＸＸＶＩ−ＸＸＸＶＩ断面図。
【図３７】図３４におけるＸＸＸＶＩＩ−ＸＸＸＶＩＩ断面図。
【図３８】図３４におけるＸＸＸＶＩＩＩ−ＸＸＸＶＩＩＩ断面図。
【図３９】図３４におけるＸＸＸＩＸ−ＸＸＸＩＸ断面図。
【図４０】図３５におけるＸＬ−ＸＬ断面図。
【図４１】図３５におけるＸＬＩ−ＸＬＩ断面図。
【図４２】図４１に示された上方の固定支持部において一対のフレーム側開閉部材の開状態を示す説明図。
【発明を実施するための形態】
【００４９】
以下、本発明の実施形態について、図面を参照しつつ説明する。先ず、図１〜図３には、本発明の一実施形態としての点滴スタンド１０が示されている。この点滴スタンド１０は、支柱１２が基台１４によって支持されており、図２及び図３に示されているように、支柱１２が基台１４に対して着脱可能とされている。なお、以下の説明中、上下方向とは、図１中の鉛直方向に相当する上下方向をいう。
【００５０】
より詳細には、支柱１２は、図４に拡大正面図が示されているように、上下に延びるストレートなロッド形状とされている。支柱１２は、一本の伸縮不能な構造であっても良いが、好適には複数本の中空管を内外挿して組み合わせることによりテレスコピック構造をもって伸縮可能な構造が採用される。支柱１２の上端部分には、水平方向に突出する支持腕１６が設けられており、この支持腕１６により処置液収容体１８や各種機器等が吊下支持可能とされている。
【００５１】
また、支柱１２の下端部分には、外周面上に突出する環状突起２０が一体的に形成されている。例えば、開口周縁部にフランジ部を備えたカップ形状のエンドキャップ２２を、支柱１２の下端に外嵌固定することにより、かかるエンドキャップ２２のフランジ部によって環状突起２０を形成することができる。
【００５２】
一方、基台１４は、図５に拡大縦断面図が示されているように、中央の円形ブロック状のハブ部２４を備えており、このハブ部２４から平面放射状に延びる複数本の脚部２６が形成されている。更に、各脚部２６の先端にはキャスター２８が装備されており、キャスター２８の転動によって基台１４がフロア上を滑動可能とされている。
【００５３】
また、ハブ部２４には、上方に突出するハウジング３０が設けられており、このハウジング３０内に、支柱１２の下部が内挿されて支持されるようになっている。なお、ハウジング３０は、ハブ部２４に対して、固定ボルト３１等によって固定されている。
【００５４】
かかるハウジング３０は、内部に収容スペース３２が形成された中空構造とされていると共に、ハウジング３０の周壁には、周上の一部において側方に向かって開口する側方窓部３４が設けられている。この側方窓部３４は、ハウジング３０の上下方向略全長に亘って形成されており、収容スペース３２が側方窓部３４を通じて外部に開放されている。なお、ハウジング３０には、蝶番構造をもって側方窓部３４を覆う蓋体３６が装着されており、この蓋体３６によって側方窓部３４が開閉可能とされている。
【００５５】
また、収容スペース３２の上壁部３８の中央部分には、側方窓部３４側に開口するＵ字形の挿通切欠４０が形成されている。そして、ハウジング３０内で下部を支持された支柱１２が、この挿通切欠４０を通じて、上方に向かって突出されるようになっている。
【００５６】
また一方、基台１４の収容スペース３２の下部には、周壁内面から収容スペース３２内に所定高さで突出する支持片４２が設けられている。そして、図６に拡大斜視図が示されているように、ハウジング３０内に収容された支柱１２の下端部が、その環状突起２０を支持片４２上に載置されることにより、支柱１２が軸方向下部において軸方向で位置決め支持されている。なお、本実施形態では、かかる支持片４２によって軸方向支持部が構成されている。
【００５７】
また、収容スペース３２において、支持片４２の下方には、下側空間４４が形成されている。この下側空間４４は、支柱１２における環状突起２０より下方の軸方向長さよりも大きくされている。そして、支持片４２で環状突起２０を支持せしめた状態で、支柱１２の下端面よりも下方に、支柱受渡し用の空間が所定大きさで確保されるようになっている。
【００５８】
さらに、収容スペース３２の中央〜上部には、支柱１２を軸直角方向で位置決め支持せしめるチャック部材４６が組み込まれている。このチャック部材４６は、図７〜１０にも拡大した横断面図および縦断面図が示されているように、一対の開閉部材４８ａ，４８ｂが開閉可能に組み合わされることによって構成されている。
【００５９】
すなわち、開閉部材４８ａ，４８ｂは、周方向一方の端部側に設定された開閉軸４９回りで相互に回動することで、周方向他方の端部側が相互に開閉するように組み合わされている。特に本実施形態では、開閉部材４８ａ，４８ｂが、何れも略半円形の断面形状をもって上下方向に所定長さで延びる長手構造を有する縦溝形の部材によって構成されている。
【００６０】
そして、閉状態では、一対の開閉部材４８ａ，４８ｂの周方向両端面が互いに重ね合わされて、上下方向に延びる円形断面の把持孔５０を協働形成するようになっている。また、かかる閉状態から、一対の開閉部材４８ａ，４８ｂの前方（図７中の右方）側の重ね合わせ面が相互に開かれ、一対の開閉部材４８ａ，４８ｂの奥方（図７中の左方）側の重ね合わせ面の外周端部付近を開閉軸４９として一対の開閉部材４８ａ，４８ｂが相対回動されることによって、図９に示される如き開状態とされるようになっている。
【００６１】
また、閉状態において、チャック部材４６の前方（図７中の右方）には、一対の開閉部材４８ａ，４８ｂの突き合わせ部間に跨がって所定大きさの嵌合突起５１が協働形成されている。かかる嵌合突起５１はチャック部材４６の前方に向かって突出する裁頭円錐形状とされており、チャック部材４６の高さ方向で相互に離隔して複数個（本実施形態では２個）形成されている。また、蓋体３６の内面には、これら嵌合突起５１の各対応位置に、それぞれ、嵌合突起５１に対応する穴内面形状をもった嵌合穴５２が形成されている。そして、開閉部材４８ａ，４８ｂの閉状態下で、蓋体３６が閉じられると、嵌合突起５１が嵌合穴５２に嵌まり込んで位置せしめられるようになっている。これにより、蓋体３６の閉状態下では、嵌合突起５１の嵌合穴５２による係合作用に基づいて、一対の開閉部材４８ａ，４８ｂの開作動が阻止されるようになっており、開閉部材４８ａ，４８ｂの誤開作動を防止するロック機構が構成されている。
【００６２】
また、図１１，１２に示されているように、一対の開閉部材４８ａ，４８ｂにおける奥方の周方向端部間には、一対の開閉部材４８ａ，４８ｂの各一方から各他方に向かって突出して各他方の後面上に回り込む係合突部５３ａ，５３ｂが一体形成されている。そして、これら係合突部５３ａ，５３ｂの係合作用により、一対の開閉部材４８ａ，４８ｂが、相互に上下方向で位置決めされていると共に、一対の開閉部材４８ａ，４８ｂの開口方向となる水平方向一方向でも相互に位置決めされている。
【００６３】
なお、図１２に示されているように、一対の開閉部材４８ａ，４８ｂの各一方から各他方の後面上に突出した係合突部５３ａ，５３ｂにおける、当該他方の開閉部材４８ａ，４８ｂの後面との対向面は、テーパ状に傾斜している。そして、一対の開閉部材４８ａ，４８ｂの閉状態下において、係合突部５３ａ，５３ｂにおける、当該他方の開閉部材４８ａ，４８ｂの後面との対向面間には、隙間５４が形成されている。
【００６４】
この隙間５４により、一対の開閉部材４８ａ，４８ｂにおける前述の如き奥方側の重ね合わせ面の外周端部付近を開閉軸４９とした開作動が、係合突部５３ａ，５３ｂの存在下でも許容されている。また、一対の開閉部材４８ａ，４８ｂが開方向に相対変位した際には、隙間５４が消失して係合突部５３ａ，５３ｂが開閉部材４８ａ，４８ｂの後面に当接することで、一対の開閉部材４８ａ，４８ｂの開方向への相対変位端が規定されるようになっている。なお、一対の開閉部材４８ａ，４８ｂの開方向端は、係合突部５３ａ，５３ｂとは別に開方向への相対変位規制手段を設けたり、一対の開閉部材４８ａ，４８ｂのハウジング３０への当接構造などによって規定することも可能である。
【００６５】
さらに、一対の開閉部材４８ａ，４８ｂには、奥方側の重ね合わせ面を挟んだ両側部分において、それぞれ上下方向に延びる係合溝５６ａ，５６ｂが形成されている。そして、これら係合溝５６ａ，５６ｂに対して、第一及び第二のばね手段を構成する単一のばね部材である金属ばね５８が係止されている。
【００６６】
金属ばね５８は、図７〜１０に示されているように、薄肉の金属板ばねであって、底部６０と両側壁６２，６２からなる溝形断面を有しており、両側壁６２，６２の各先端部には溝内方に突出した係止部が一体形成されている。そして、この金属ばね５８は、一対の開閉部材４８ａ，４８ｂの開閉軸４９よりも奥方に位置して、開閉部材４８ａ，４８ｂに向かって開口して上下方向に延びる状態で配されており、両側壁６２，６２の各係止部が、一対の開閉部材４８ａ，４８ｂの係合溝５６ａ，５６ｂに係止されている。
【００６７】
これにより、金属ばね５８による付勢力が、一対の開閉部材４８ａ，４８ｂの奥方に対して、それら開閉部材４８ａ，４８ｂを相互に接近方向に押し付ける方向に常時及ぼされるようになっている。また、付勢力の作用点となる一対の開閉部材４８ａ，４８ｂの係合溝５６ａ，５６ｂは、図７及び図９に示されているように、一対の開閉部材４８ａ，４８ｂの開閉軸４９に対して、閉状態では支柱１２側（図７中の右方）に位置する一方、開状態では支柱１２と反対側（図９中の左方）に位置するように設定されている。
【００６８】
それ故、図７に示された一対の開閉部材４８ａ，４８ｂの閉状態では、金属ばね５８の付勢力が、一対の開閉部材４８ａ，４８ｂに対して閉方向に及ぼされる。これにより、チャック部材４６の閉状態が弾性的に保持される。また、図９に示された一対の開閉部材４８ａ，４８ｂの開状態では、金属ばね５８の付勢力が、一対の開閉部材４８ａ，４８ｂに対して開作動方向に及ぼされる。これにより、チャック部材４６の開状態が弾性的に保持される。これらの金属ばね５８の付勢力が、一対の開閉部材４８ａ，４８ｂに対して、閉状態への保持力及び開状態への保持力として、選択的に及ぼされる。このことから明らかなように、本実施形態では、チャック部材４６を閉状態に保持する第一のばね手段と、チャック部材４６を開状態に保持する第二のばね手段とが、何れも金属ばね５８で構成されている。
【００６９】
また、金属ばね５８が組み付けられた一対の開閉部材４８ａ，４８ｂは、ハウジング３０の収容スペース３２内において、把持孔５０が上下方向に延びる状態で収容されている。更に、ハウジング３０には、上下方向中間部分で収容スペース３２内に突出する中間受片６４が形成されており、この中間受片６４と上壁部３８との間で一対の開閉部材４８ａ，４８ｂが軸方向に位置決めされて組み付けられている。
【００７０】
また、収容スペース３２の奥方には、平板形状の支持プレート６６が収容状態で固定されており、この支持プレート６６に対して、金属ばね５８の底部６０が固定ビス６８で固着されている。これにより、金属ばね５８を介して、一対の開閉部材４８ａ，４８ｂが、収容スペース３２内で、ハウジング３０により開閉可能に保持されている。
【００７１】
なお、一対の開閉部材４８ａ，４８ｂには、固定ビス６８の取付作業を容易とするために、前方及び奥方の各周壁部を貫通してサービスホール７０が形成されている。また、一対の開閉部材４８ａ，４８ｂは、その閉状態下で把持孔５０が、ハウジング３０の上壁部３８の挿通切欠４０と同一中心軸上で上下方向に延びるように位置合わせされている。
【００７２】
さらに、収容スペース３２には、一対の開閉部材４８ａ，４８ｂの開閉軸４９よりも奥方に位置して、かかる開閉部材４８ａ，４８ｂを開閉作動させるための押圧部材としてのカム片７２が配設されている。このカム片７２は、金属ばね５８と支持プレート６６を貫通して配設されており、支持プレート６６の奥方に配設された駆動ロッド７４で作動されるようになっている。
【００７３】
駆動ロッド７４は、ハウジング３０内を上下方向に延びており、ハウジング３０内で上下方向に変位可能に配設されている。そして、カム片７２の奥方端部が、この駆動ロッド７４に対して、連結ピン７６により、回動可能に連結されている。また、カム片７２は、ハウジング３０に固定された支持プレート６６の貫通孔７７に挿通配置されている。これにより、駆動ロッド７４の上下方向への変位に伴ってカム片７２の奥方端部が上下方向に移動すると、図１３及び図１４に示されているように、カム片７２の中間部分が支持プレート６６の貫通孔７７の上下端縁部に当接することで、カム片７２が揺動変位せしめられるようになっている。
【００７４】
すなわち、駆動ロッド７４が上方に位置せしめられた状態では、図１４に実線で示されているように、カム片７２は、その奥方端部が上方に位置し、前方端部が下方に垂れ下がった傾斜状態に保持される。そこから駆動ロッド７４が下方に変位せしめられると、図１４に仮想線で示されているように、カム片７２は、その奥方端部が下方に変位するのに伴って、貫通孔７７の下端縁部への当接作用で前方端部が上方に持ち上がり、略水平状態に移行する。要するに、駆動ロッド７４を下方に変位させるような外力が及ぼされると、連動するカム片７２にも略水平状態に移行させるような外力が及ぼされる。その結果、カム片７２の前方端部が、支持プレート６６から前方に向かって大きく突出することとなり、一対の開閉部材４８ａ，４８ｂの後面に対して押し付けられることとなる。
【００７５】
これにより、一対の開閉部材４８ａ，４８ｂは、図７，８に示された閉状態下において、奥方の左右方向（図７，９中の上下方向）両側を金属ばね５８で係止されて位置決めされたままで、一対の開閉部材４８ａ，４８ｂの開閉軸４９はカム片７２で金属ばね５８の係合溝５６ａ，５６ｂよりも前方（支柱１２側、図９中の右方）に押し出される。その結果、図９，１０に示されている如き開状態に移行されることとなる。
【００７６】
なお、開状態とされた一対の開閉部材４８ａ，４８ｂを閉状態に移行させるには、駆動ロッド７４を上方に移動させてカム片７２を傾斜状態にしてから、一対の開閉部材４８ａ，４８ｂに対して閉方向に外力を及ぼせば良い。実際には、開状態とされた一対の開閉部材４８ａ，４８ｂに対して支柱１２を側方から差し入れて押し込むことにより、支柱１２で一対の開閉部材４８ａ，４８ｂの底部を奥方に押圧することによって、閉方向へ作動させる外力が加えられることとなる。
【００７７】
また、金属ばね５８の付勢力は、図７，９に示されている如き横断面において付勢力の作用点である係合溝５６ａ，５６ｂと開閉軸４９とが直線上に並んだ平衡位置を境にして、一対の開閉部材４８ａ，４８ｂに対して開作動方向と閉作動方向とに択一的に作用する。要するに、チャック部材４６を閉状態に保持する第一のばね手段と、開状態に保持する第二のばね手段とにより、チャック部材４６が、開状態と閉状態とに選択的に状態保持される。それ故、一対の開閉部材４８ａ，４８ｂの開作動および閉作動が、適当な節度感をもって容易に且つ確実に実現されると共に、開状態および閉状態に安定して保持されることとなる。
【００７８】
更にまた、駆動ロッド７４の下端部分は、ハウジング３０からハブ部２４を貫通して下方に突出しており、その下端に対して、外部操作部材７８が係止されている。この外部操作部材７８は、水平方向に延びる支軸８０により、ハブ部２４に対して揺動可能に取り付けられていると共に、ハブ部２４との間に介装された圧縮スプリング８２によって、常時、揺動方向一方の側に付勢されている。
【００７９】
そして、この外部操作部材７８の揺動部位に設けられた係止軸８４に対して、駆動ロッド７４の下端が係止されており、外部操作部材７８が圧縮スプリング８２の付勢力で上向きに保持された状態下、外部操作部材７８が上方に位置決め保持されるようになっている。また、かかる状態下、外部操作部材７８の先端操作部８６を、足踏み等で下方に向けて押下操作することにより、圧縮スプリング８２の付勢力に抗して外部操作部材７８が支軸８０回りに揺動せしめられる。それに伴い、外部操作部材７８に係止された駆動ロッド７４が下方に向けて変位せしめられ、その結果、一対の開閉部材４８ａ，４８ｂが開方向に作動せしめられる。上記のように、一対の開閉部材４８ａ，４８ｂを開方向に作動させる外部操作部材７８を設けることにより、駆動ロッド７４及びカム片７２を含んで開操作手段が構成されている。
【００８０】
なお、かかる外部操作部材７８は、足踏み等による押下操作後に、圧縮スプリング８２の付勢力より、揺動方向一方の側に付勢されて自動復帰するが、駆動ロッド７４を介して駆動されるカム片７２で開作動された一対の開閉部材４８ａ，４８ｂは、金属ばね５８の付勢力に基づいて開状態に保持され得る。
【００８１】
従って、上述の如き構造とされた点滴スタンド１０では、基台１４に対して支柱１２を水平方向の側方から装着して固定的に支持せしめることができる。即ち、基台１４のハウジング３０の蓋体３６を開いて、開状態に保持された一対の開閉部材４８ａ，４８ｂの開放口を、側方窓部３４を通じて開口させた状態下、支柱１２の下部を水平方向の側方から、側方窓部３４を通じて一対の開閉部材４８ａ，４８ｂ内に出し入れすることができる。その後、支柱１２を押し入れて一対の開閉部材４８ａ，４８ｂの奥方に押し当てることにより、一対の開閉部材４８ａ，４８ｂを閉状態とし、支柱１２の下部を一対の開閉部材４８ａ，４８ｂで把持させることができる。
【００８２】
また、支柱１２を一対の開閉部材４８ａ，４８ｂ内に差し入れる際には、ハウジング３０の支持片４２に対して支柱１２の環状突起２０を載置するように軸方向に位置合わせすることで、支柱１２の軸方向荷重をハウジング３０で受けることができる。要するに、本実施形態では、基台１４による支柱１２の支持状態下、支柱１２が一対の開閉部材４８ａ，４８ｂからなるチャック部材４６で軸直角方向に位置決め支持されると共に、環状突起２０で軸方向に位置決め支持される。
【００８３】
また、支柱１２を基台１４、言い換えると一対の開閉部材４８ａ，４８ｂから取り外す際には、先ず、ハウジング３０の蓋体３６を開いた状態で、外部操作部材７８の先端操作部８６を足踏み等で下方に向けて押下操作する。かかる操作により、一対の開閉部材４８ａ，４８ｂが開状態となり、側方窓部３４を通じて、支柱１２を水平方向に取り外すことが可能となる。
【００８４】
次に、図１５には、基台１４と別体に設けられて、患者支持装置（本実施形態ではベッド）８８にアタッチメント部９０を介して固定的に装着されるフレーム９２と、フレーム９２に設けられて、支柱１２の下部を固定して支持する固定支持部９４の構造が示されている。また、図１６には、かかる固定支持部９４により支柱１２が支持されている状態が示されている。
【００８５】
フレーム９２は板形状とされており、このフレーム９２の一方の面にはベッド等の患者支持装置８８に取り付けるアタッチメント部９０が設けられている。本実施形態ではアタッチメント部９０が、患者支持装置（ベッド）８８を上下に挟み込むようにして固定されるようになっている。即ち、アタッチメント部９０は上側取付片９１ａ及び下側取付片９１ｂを備えている。上側取付片９１ａはフレーム９２に固着されており、下側取付片９１ｂはフレーム９２に対して上下可動とされている。これにより、上下取付片９１ａ，９１ｂで患者支持装置（ベッド）８８の構造部材を挟んで、フレーム９２を患者支持装置８８に固定している。
【００８６】
また、フレーム９２における、アタッチメント部９０を有する面と反対の表面には、支柱１２の下部を固定及び支持する固定支持部９４が設けられており、固定支持部９４は、載置部９６と複数個（本実施形態では２個）の把持部９８から構成されている。そして、載置部９６と複数個の把持部９８とによって協働して支柱１２が固定及び支持されるようになっている。
【００８７】
載置部９６は、フレーム９２の下端に設けられており、支柱１２の下部を軸方向で位置決め支持する。即ち、載置部９６はフレーム９２の表面上に突出しており、支柱１２の下端面が載置されることによって支柱１２の自重を支えるようにして、支柱１２を軸方向で位置決め支持している。なお、載置部９６に載置された支柱１２は、支柱１２の下端面が載置部９６上を滑るように移動せしめられることで、支柱１２が水平方向に取り出し可能とされている。また、載置部９６の突出先端部分の上面は傾斜面とされており、先端側に行くに従って、高さが低くなっている。これにより、支柱１２を水平方向で入れる際に、載置部９６への打ち当たりを回避しつつ支柱を支持位置にまで案内するようになっている。
【００８８】
また、載置部９６の上方に設けられた把持部９８は、フレーム９２の高さ方向で相互に離隔して設けられており、支柱１２の下部を軸直角方向で位置決め支持するようになっている。即ち、把持部９８は、フレーム９２の表面に固定的に設けられたブロック形状とされており、その中央部分には、フレーム９２からの突出方向先端面に開口して上下方向に延びるＵ字形の嵌合溝９９が形成されている。この嵌合溝９９の内周面が、支柱１２の外周面形状に対応しており、嵌合溝９９の深さ寸法も、支柱１２の外径寸法と同じに設定されている。これにより、嵌合溝９９に対して、支柱１２が、開口部から奥方に嵌め入れられて収容されるようになっている。
【００８９】
また、把持部９８における嵌合溝９９の開口側端面には、嵌合溝９９の幅方向一方の側においてロッド状の閂１００が、支軸１０２回りで回動可能に取り付けられている。更にまた、嵌合溝９９の幅方向他方の側に位置する開口側端面には、閂１００の先端部を係止することで、嵌合溝９９の開口部に掛け渡された状態で閂１００を固定する係止ピン１０４が設けられている。
【００９０】
そして、嵌合溝９９の開口部に対して、支柱１２を水平方向に嵌め入れた後、閂１００を支軸１０２回りで回動させて係止ピン１０４で係止させることで、嵌合溝９９の開口部に閂１００を掛け渡してロックすることにより、支柱１２を把持部９８により、軸直角方向に位置決め支持せしめるようになっている。
【００９１】
上述のとおり患者支持装置（ベッド）８８に対して支柱１２の下部を固定的に支持せしめる載置部９６および把持部９８は、前述の点滴スタンド１０の基台１４において支柱１２の下部を固定的に支持せしめる支持片４２およびチャック部材４６に対して、支柱１２の軸方向で異なる高さ位置に設定されて、互いに外れた位置に設けられている。
【００９２】
本実施形態では、下側の把持部９８が、基台１４におけるチャック部材４６と支持片４２との間に対応する位置に設けられていると共に、上側の把持部９８が、ハウジング３０の上壁部３８よりも高い位置に設けられている。一方、載置部９６は、基台１４の収容スペース３２において、支持片４２の下方に形成された下側空間４４に対応する高さ位置に設けられている。
【００９３】
これにより、患者支持装置８８に固定されたフレーム９２に対して、点滴スタンド１０を対峙させて、フレーム９２における載置部９６および把持部９８と基台１４における支持片４２およびチャック部材４６とを相互に対向位置させつつ、点滴スタンド１０をフレーム９２に向けて接近移動させることにより、フレーム９２の載置部９６および把持部９８が、基台１４の支持片４２およびチャック部材４６を上下に避けて、基台１４のハウジング３０の内部（収容スペース３２）や上方に差し入れられるようになっている。その結果、図１７に示されているように、支柱１２を、点滴スタンド１０と患者支持装置８８との間で受け渡して移設することが可能とされている。特にかかる受け渡しに際しては、図１８に示されているように、点滴スタンド１０側の支持片４２およびチャック部材４６と、患者支持装置８８側の載置部９６および把持部９８との両方で、支柱１２が軸方向で相違する位置で同時に固定的に支持されるようになっており、支柱１２の倒れや外れ等のアクシデントが防止され得る。
【００９４】
因みに、図１７（ａ）〜（ｃ）には、点滴スタンド１０から患者支持装置８８に支柱１２を受け渡して移設する工程が示されている。先ず、図１７（ａ）に示されているように、フレーム９２が装着された患者支持装置８８に対して、移設する支柱１２を固定的に支持せしめた点滴スタンド１０を接近させる。
【００９５】
次に、図１７（ｂ）に示されているように、点滴スタンド１０におけるハウジング３０の蓋体３６を開いてから、ハウジング３０の側方窓部３４をフレーム９２の表面に対峙させ、フレーム９２に設けられた載置部９６と把持部９８をハウジング３０の内部や上方に対して水平方向で差し入れる。その後、図１８に示されているように、点滴スタンド１０側の支持片４２およびチャック部材４６で位置決め支持せしめたままで、支柱１２を、フレーム９２上の載置部９６および把持部９８によって位置決め支持せしめる。
【００９６】
なお、フレーム９２における複数の把持部９８では、その少なくとも一つにおいて、閂１００を閉操作して支柱１２の水平方向への抜け出しを阻止せしめるようにされる。また、かかる状態下では、支柱１２を介して、フレーム９２が固定された患者支持装置８８に対して、点滴スタンド１０の基台１４が、連結固定されている。
【００９７】
続いて、図１７（ｃ）に示されているように、点滴スタンド１０において、外部操作部材７８の先端操作部８６を足踏み等で下方に向けて押下操作して、一対の開閉部材４８ａ，４８ｂを開状態とし、基台１４における支柱１２への位置決め固定を解除する。その後、基台１４を患者支持装置８８から遠ざけるように水平方向に抜き取る。これにより、支柱１２は基台１４から外れ、フレーム９２により患者支持装置８８に対して固定的に支持される。なお、閂１００が掛け渡されていない把持部９８が残っている場合には、全ての把持部９８において閂１００を閉状態にする。これにより、支柱１２を、点滴スタンド１０の基台１４から患者支持装置８８へ移設する作業が完了する。
【００９８】
なお、上記とは逆に、患者支持装置８８から基台１４へ支柱１２を受け渡す際の工程は上記の各作業を前後逆にして行うことによって実現される。簡単に説明すると、先ず、図１７（ｃ）に示されているように、支柱１２を固定的に支持せしめた患者支持装置８８のフレーム９２に対して、支柱１２が取り外された点滴スタンド１０の基台１４を対向位置せしめる。また、必要に応じてフレーム９２上の複数の把持部９８の一部において閂１００を解除する一方、基台１４の蓋体３６を開け、フレーム９２に対して基台１４を接近移動させる。そして、図１７（ｂ）に示されているように、フレーム９２上の載置部９６と把持部９８で固定的に支持されたまま、支柱１２を、基台１４の収容スペース３２に押し入れて、図１８に示されているように、支柱１２をチャック部材４６に押し付けることにより、一対の開閉部材４８ａ，４８ｂを閉作動させて、支持片４２で軸方向支持せしめた状態で把持させる。このようにして支柱１２を、フレーム９２側と基台１４側との両方で同時に固定的に支持せしめた状態から、フレーム９２側の把持部９８の閂１００の全てを解除してフレーム９２側への支柱１２の固定力を開放した後、基台１４を患者支持装置８８から離隔方向に移動させることにより、支柱１２を患者支持装置８８から取り外して基台１４だけに支持させて受け渡すことができる。
【００９９】
上述の構造とされた本実施形態の点滴スタンド１０においては、固定用ねじの螺着や取り外し等といった時間と労力を要する作業が必要とされることなく、支柱１２を基台１４に対して、容易に且つ速やかに着脱することが出来る。しかも、基台１４に対する支柱１２の着脱を、鉛直方向に向けて支持した支柱１２の中心軸に直交する水平方向に向けて支柱１２を移動させることによって行うことが出来るから、着脱に際して支柱１２を基台１４から上方に抜き取ったり差し込んだりする必要がなく、作業を安全に行うことが可能になる。更に、基台１４のチャック部材４６と、フレーム９２の固定支持部９４との両方での支柱１２の支持状態から、基台１４のチャック部材４６と、フレーム９２の固定支持部９４との一方による支持を解除するだけで、支柱１２を基台１４とフレーム９２との間で受け渡すことができるため、容易に且つ安全に、しかも安定して速やかに移設することが可能になる。
【０１００】
特に本実施形態では、チャック部材４６に把持された支柱１２を取り外す操作も、外部操作部材７８を足踏み等するだけでチャック部材４６による支柱１２の把持状態が解除されるようになっている。また、チャック部材４６へ支柱１２を把持させる際にも、支柱１２をチャック部材４６の奥方に押し付けるだけでチャック部材４６による支柱の把持状態が実現されるようになっている。それ故、基台１４に対する支柱１２の固定および解除の操作を、一層容易に行うことができる。
【０１０１】
また、本実施形態では、チャック部材４６を構成する一対の開閉部材４８ａ，４８ｂに対して開方向および閉方向への付勢力を及ぼす第一及び第二のばね手段が、溝形の特定構造とされた単一のばね部材（金属ばね５８）で構成されていることから、部品点数の減少と構造の簡略化が達成され得る。
【０１０２】
以上、本発明の実施形態について説明したが、本発明はその具体的な記載によって限定的に解釈されない。例えば、基台１４において支柱１２を軸方向で支持する支持片４２や、フレーム９２において支柱１２を軸方向で支持する載置部９６は、必ずしも必要でない。蓋し、基台１４やフレーム９２において、支柱１２に対する軸方向の位置決め力が得られれば良く、例えばチャック部材４６や把持部９８によって支柱１２の軸方向支持力が得られるならば、支持片４２や載置部９６は必要ない。要するに、基台１４およびフレーム９２において、支柱１２に対する軸直角方向および軸方向の位置決め力を及ぼすものであれば、具体的な支持構造は限定されるものでなく、例えば基台１４やフレーム９２に取り付けた挿通ピンを支柱１２に挿通すること等によっても、支持構造が実用可能である。
【０１０３】
また、本実施形態では患者支持装置８８として入院患者用ベッドを用いたが、これに限るものではなく、車椅子や施術ベッドなどでもよい。また、患者支持装置（特にベッド）８８が、上下動可能とされているタイプでもよい。患者用ベッドは多くが３０〜４０ｃｍ程上下動するようになっている。その際、例えば、ベッドに対してフレーム９２の位置がモーター等で上下動されて、基台１４の高さに合わせることができるようにした構造等も採用可能である。或いは、ベッドを所定高さに位置合わせした状態下で、ベッドの支柱１２の保持高さと基台１４の支柱１２の保持高さが合致するように設定しておけば、支柱１２の受け渡しを支障なく行うことが出来る。具体的には、例えば、ベッドを最下端に移動させ、ベッドの支柱１２の保持高さと、基台１４の支柱１２の保持高さを等しくする。これにより、支柱１２の受け渡しを、ベッドを最下端に移動させてから行うこととし、上下動可能なベッドでも支柱１２の受け渡しを安定して行うことが出来る。
【０１０４】
また、本実施形態ではアタッチメント部９０により患者支持装置８８の上下を挟み込んで、患者支持装置８８とフレーム９２を固定していたが、これに限るものではなく、患者支持装置８８の本体とフレーム９２を接着や溶着、ボルト、リベット等で固着してもよい。また、患者支持装置８８の構造材に対して巻き付けられる締付バンド等を用いて、フレーム９２を患者支持装置８８に固定することも可能である。更にまた、アタッチメント部９０を介することなく、例えば患者支持装置８８の構造部材などに対してフレーム９２を一体形成したり、患者支持装置８８の構造部材をフレーム９２として利用する等しても良い。
【０１０５】
さらに、図１９には、本発明の点滴スタンドを構成する第二の実施形態としての基台１１０が示されている。なお、本実施形態の基台１１０は、その基本構造を第一の実施形態と同じにするものであるから、第一の実施形態と同様な構造とされた部材については図中に同一の符号を付することにより、詳細な説明を省略する。
【０１０６】
すなわち、本実施形態の基台１１０では、第一の実施形態の基台１４と、次の第一〜第三の点において相違している。第一の相違点は、チャック部材４６を構成する一対の開閉部材４８ａ，４８ｂの開作動を阻止する安全機構が設けられていることである。第二の相違点は、ハウジング３０に形成された収容スペース３２の底面が、側方窓部３４の前方に向かって滑らかに広がる押圧作用面１１２として形成されていることである。第三の相違点は、基台１４で把持される支柱１２に関するものであるが、支柱１２の下端のエンドキャップ２２には、外周面上において周方向で弦方向に広がる位置決め用の平坦面又は切欠き１１４が形成されていると共に、下面において開口する係合穴１１６が形成されていることである。
【０１０７】
第一の相違点である上述の安全機構は、図２０〜２３に示されているように、駆動ロッド７４に固設されたストッパ片１１８，１１８が、チャック部材４６を構成する一対の開閉部材４８ａ，４８ｂの開方向への変位を阻止する機構によって実現されている。即ち、ストッパ片１１８，１１８は、駆動ロッド７４の幅方向両側から、一対の開閉部材４８ａ，４８ｂの両側に向かって突出するように設けられている。特に本実施形態では、チャック部材４６の長さ方向の中間部分と下端部分とにそれぞれ対応する位置に計二対のストッパ片１１８，１１８が形成されている。一方、一対の開閉部材４８ａ，４８ｂには、長さ方向の中間部分において、それぞれ、ストッパ片１１８よりも大きな開口窓１２０が形成されている。
【０１０８】
そして、足踏ペダル式の外部操作部材７８が足踏操作されておらずに駆動ロッド７４が上端に位置せしめられることにより一対の開閉部材４８ａ，４８ｂが閉保持された状態が、図２０，２１に示されている。かかる閉保持状態では、一対のストッパ片１１８，１１８が、一対の開閉部材４８ａ，４８ｂの両側で開口窓１２０，１２０を上方に外れて位置せしめられていると共に、他の一対のストッパ片１１８，１１８が、一対の開閉部材４８ａ，４８ｂの両側で下端部にかかって位置せしめられている。
【０１０９】
それ故、このように外部操作部材７８が足踏操作されていない状態では、一対の開閉部材４８ａ，４８ｂの開方向への変位が二対のストッパ片１１８，１１８への当接によって阻止されるようになっている。
【０１１０】
一方、足踏ペダル式の外部操作部材７８が足踏操作されて駆動ロッド７４が下方に移動して下側変位端に位置せしめられると、二対のストッパ片１１８，１１８も駆動ロッド７４と共に下方に移動する。その結果、図２２，２３に示されているように、一対のストッパ片１１８，１１８が、一対の開閉部材４８ａ，４８ｂの両側で開口窓１２０，１２０内に位置せしめられると共に、他の一対のストッパ片１１８，１１８が、一対の開閉部材４８ａ，４８ｂを下方に外れて位置せしめられることとなる。
【０１１１】
それ故、このように外部操作部材７８が足踏操作されると、二対のストッパ片１１８，１１８による一対の開閉部材４８ａ，４８ｂの開作動阻止が解除される。その結果、駆動ロッド７４で連動駆動されるカム片７２，７２の押圧作動による一対の開閉部材４８ａ，４８ｂの開作動が許容されて、チャック部材４６の開放作動が実現されるのである。
【０１１２】
このような二対のストッパ片１１８，１１８による安全機構を設けたことにより、本実施形態の基台１１０では、例えばハウジング３０の蓋体３６を開状態としたままでも、外部操作部材７８を足踏操作しない限り、支柱１２等に及ぼされる外力作用などによって、予期せずにチャック部材４６が開放されることが防止される。
【０１１３】
第二の相違点である上述の押圧作用面１１２は、ハウジング３０の収容スペース３２の底面が、側方窓部３４の開口前方に向かって略水平か僅かに下方に傾斜した平坦面をもって形成されている。そして、この押圧作用面１１２は、後述する患者支持装置としてのベッド等に固定されるフレーム１２２（図２４，３０〜３２参照）と基台１１０との間での支柱１２の受け渡しに際して、フレーム１２２に対する支柱１２の係止状態を解除する機能を発揮する。なお、このような押圧作用面１１２の係止解除機能は、後述する図３０〜３２の説明で明らかにする。
【０１１４】
第三の相違点である上述のエンドキャップ２２は、支柱１２の下端に対して固着されており、図２４に示されているように、外周面上に鍔状に突出する環状突起２０において、その外周面上の適当な部位に形成された切欠き１１４を備えている。そして、図面上に明示はされていないが、この切欠き１１４は、後述する図３２に示されている如き支柱１２の基台１１０による保持状態下で、基台１１０のハウジング３０の蓋体３６が閉じられることにより、蓋体３６の内面に突設された突起等に係合されるようになっている。
【０１１５】
これにより、蓋体３６を閉じたハウジング３０内に保持された支柱１２は、エンドキャップ２２の切欠き１１４に対する蓋体３６の内面突起等の係合作用により周方向の回転が阻止されて位置決めされている。それ故、基台１１０で支持された支柱１２は、例えば外力などが作用しても、基台１１０上での中心軸回りの回転が阻止されて、安定した支持状態に保持され得る。
【０１１６】
また、かかるエンドキャップ２２において下面の中央に開口して形成された係合凹所としての係合穴１１６は、図２４に示されているように、患者支持装置としてのベッド等に固定されるフレーム１２２に対して支柱１２を支持せしめる際の固定支持に用いられる。この固定支持の機構について、以下に説明する。
【０１１７】
すなわち、ベッド等に固定されるフレーム１２２には、支柱１２の下部を固定的に支持するために、上端部分に把持部１２４が設けられていると共に、下端部分に係止部１２６が設けられており、これら把持部１２４と係止部１２６を含んで、支柱１２の下端をフレーム１２２に支持せしめる固定支持部１２８が構成されている。
【０１１８】
係止部１２６は、図２５〜２８に示されているように、下方に開口する中空構造の函体形状を有する載置台１３０を有しており、かかる載置台１３０がフレーム１２２から突出して固定されている。載置台１３０の上面には、半周を囲繞壁１３２で囲まれた平坦な載置面１３４が形成されている。また、載置台１３０の突出先端側には、載置面１３４から次第に下方に傾斜するスロープ状の案内面１３６が設けられている。
【０１１９】
さらに、載置台１３０の底壁には、載置面１３４の中央部分に位置して貫通孔１３８が形成されている。この貫通孔１３８に対して、下方から係合部材１４０が上下に出入可能に嵌め入れられた状態で組み付けられている。なお、係合部材１４０の下端にはフランジ状突部が形成されており、係合部材１４０が上方に変位させられた際、貫通孔１３８から載置面１３４上に係合部材１４０の上端部分が所定高さで突出せしめられるが、係合部材１４０が貫通穴１３８から完全に抜け出してしまわないようになっている。
【０１２０】
また、係合部材１４０の下方には、載置台１３０の中空内部に収容された状態で、解除操作部材としての作用レバー１４２が組付けられている。この作用レバー１４２は、長さ方向の中間部分に挿通された支軸１４４の回りで回動可能に支持されていると共に、支軸１４４に外挿装着された金属バネ１４６により、常時一方向に付勢されている。即ち、図２７中において支軸１４４回りで左向きに付勢されており、図２７に示される左回りの移動端に弾性的に位置決めされている。
【０１２１】
この左回りの移動端に位置決めされた作用レバー１４２は、一方の端部において係合部材１４０の下面に当接されており、係合部材１４０を貫通穴１３８から上方に突出せしめた状態に保持するようになっている。また、作用レバー１４２の他方の端部は、載置台１３０の下端面から下方に向かって所定高さで突出せしめられている。そして、この下方に突出した作用レバー１４２の他方の端部に外力を加えて、作用レバー１４２を、図２７中で右回りに、金属バネ１４６の付勢力に抗して回動させることにより、図２９に示されているように、係合部材１４０への押し上げ力が解除されて、係合部材１４０が自重により下降せしめられ、貫通穴１３８内に係合部材１４０が収容位置せしめられるようになっている。
【０１２２】
このような係止部１２６は、載置台１３０の載置面１３４に対して支柱１２の下端が載置されることにより、支柱１２を軸方向に位置決めして支持せしめることとなる。また、載置面１３４に載置された支柱１２は、その軸直角方向の変位が囲繞壁１３２で阻止されることに加えて、図２４に示されているように、係合穴１１６に対する係合部材１４０の係合作用によっても、軸直角方向の位置決めが実現されるようになっている。
【０１２３】
特に本実施形態では、金属バネ１４６の付勢力に抗して作用レバー１４２を回動させることによる係合部材１４０の下降作動が、図３０〜３２に示されているように、基台１１０のフレーム１２２に対する接近操作で自動的に行われるようになっている。即ち、フレーム１２２の固定支持部１２８で支持された支柱１２を、基台１１０側へ受け渡すに際しては、第一の実施形態と同様に、基台１１０のハウジング３０の蓋体を開いてチャック部材４６を開放させた状態で、基台１１０をフレーム１２２に対して接近移動させることとなる。この際、図３０に示されているように、基台１１０のハウジング３０の下部で前方に延び出した押圧作用面１１２が、フレーム１２２の載置台１３０の下に入り込み、基台側の部材としてのハブ部２４の押圧作用面１１２上に乗るようにして載置台１３０が移動せしめられる。その結果、図３１に示されているように、載置台１３０から下方に突出した作用レバー１４２がハウジング３０の押圧作用面１１２に乗り上げて、作用レバー１４２が図中で右回りに回動せしめられ、それに伴って係合部材１４０が下方に移動する。このようにして、係止部１２６による支柱１２に対する軸直角方向の規制が解除されることとなり、図３２に示されているように、支柱１２を基台１１０側へ移動させる受け渡しが許容されるのである。
【０１２４】
一方、フレーム１２２に対して支柱１２を支持せしめる固定支持部１２８を、上記係止部１２６と協働して構成する前記把持部１２４は、図３３〜４２に示されているように、開閉可能なフレーム側蓋体１５０を備えたフレーム側ハウジング１５２内に、開閉可能な一対のフレーム側開閉部材１５４，１５４からなるフレーム側チャック部材１５６が組み付けられた構造とされている。そして、フレーム側蓋体１５０の開操作により開かれたフレーム側ハウジング１５２の側方窓部１５５を通じて、支柱１２がフレーム側チャック部材１５６に対して受け渡されるようになっている。
【０１２５】
すなわち、把持部１２４は、その基本構造を、第一の実施形態における基台１４において支柱１２を把持するための構造と同じにしており、それを上下に小型化したものとして捉えると理解し易い。そして、かかる把持部１２４は、一対のフレーム側開閉部材１５４，１５４を開いた状態で支柱１２を側方から受け渡し可能とされていると共に、一対のフレーム側開閉部材１５４，１５４を閉じた状態で支柱１２の外周面を把持して軸直角方向に位置決め支持するようになっている。
【０１２６】
なお、かかる把持部１２４は、基本的構造を基台１４と同じにするが、開閉操作機構やロック機構などの細部において異なっていることから、以下に簡単に説明を追加する。
【０１２７】
先ず、フレーム１２２に固定されるフレーム側ハウジング１５２には、上下に延びる溝形の板ばねからなるフレーム側ばね部材としてのフレーム側金属ばね１５８が固定されており、このフレーム側金属ばね１５８により開状態と閉状態に択一的に付勢保持されるようにして、一対のフレーム側開閉部材１５４，１５４が組み付けられている。なお、一対のフレーム側開閉部材１５４，１５４は、第一実施形態における基台１４の一対の開閉部材４８，４８と同じ構造とされており、フレーム側蓋体１５０内面に係止されて開作動が阻止されるフレーム側嵌合突起１５１，１５１等も、第一実施形態における基台１４と同様に備えており、フレーム側蓋体１５０が閉じられた状態下では支柱１２を把持部１２４によって確実に把持し続けるための第二の安全ロック機構が構成されている。
【０１２８】
また、一対のフレーム側開閉部材１５４，１５４を閉状態から開作動させるためのフレーム側押圧部材１６０が、フレーム側開閉部材１５４，１５４の後方上部に配設されている。このフレーム側押圧部材１６０は、水平方向に延びる軸部材１６２の略中央に固着されており、軸部材１６２と一体的に回動変位されるブロック形状とされている。更に、かかる軸部材１６２には、両端部分に対して左右の操作片１６４，１６４が固着されて取り付けられている。これら左右の操作片１６４，１６４は、フレーム側ハウジング１５２から上方に突出しており、かかる操作片１６４，１６４に対して手指等による外力を加えることにより、軸部材１６２を介して、フレーム側押圧部材１６０が回動せしめられるようになっている。
【０１２９】
すなわち、本実施形態では、左右の操作片１６４，１６４と軸部材１６２を含んで、フレーム側押圧部材１６０を駆動するフレーム側外部操作部材が構成されている。そして、このフレーム側外部操作部材を操作して、フレーム側押圧部材１６０を一対のフレーム側開閉部材１５４，１５４に対して後方から押圧駆動させることで、かかる一対のフレーム側開閉部材１５４，１５４を閉状態から開作動させることができるようになっている。
【０１３０】
特に本実施形態では、上記のフレーム側押圧部材１６０および左右の操作片１６４，１６４を利用して、閉状態にある一対のフレーム側開閉部材１５４，１５４における不用意なの開作動を阻止する開作動規制手段が構成されている。即ち、一対のフレーム側開閉部材１５４，１５４で保持された支柱１２に対して大きな外力が及ぼされた場合等に、一対のフレーム側開閉部材１５４，１５４が強制的に開作動されて支柱１２が外れてしまうことが防止されるようになっている。
【０１３１】
具体的には、フレーム側押圧部材１６０の外方上端には、一対のフレーム側開閉部材１５４，１５４に向かって突出して、一対のフレーム側開閉部材１５４，１５４の上端部に設けられた係合凹部１６６に係止されることで一対のフレーム側開閉部材１５４，１５４の開作動を阻止するカギ形係止部１６８が形成されている。また、左右の操作片１６４，１６４には、一対のフレーム側開閉部材１５４，１５４の各側面から外方に突設される係合凸部１７０，１７０に係止されることで一対のフレーム側開閉部材１５４，１５４の開作動を阻止するフック形係止部１７２，１７２が形成されている。そして、これらカギ形係止部１６８およびフック形係止部１７２，１７２は、軸部材１６２に外挿されて組付けられた付勢バネ（図面上では明示せず）でフレーム側押圧部材１６０および左右の操作片１６４，１６４が軸部材１６２回りに常時付勢されていることにより、係合凹部１６６および係合突部１７０，１７０への係止状態に保持されるようになっている。
【０１３２】
もっとも、これらカギ形係止部１６８およびフック形係止部１７２，１７２は、フレーム側開閉部材１５４，１５４が開操作されるのに伴って、係合凹部１６６および係合突部１７０，１７０から係止解除されて、一対のフレーム側開閉部材１５４，１５４の開作動が許容されるようになっている。それ故、フレーム側外部操作部材による正常な開操作に際しては、特別な解除操作を必要とすることがなく、フレーム側チャック部材１５６の速やかな開操作が可能とされている。
【０１３３】
一方、このようにフレーム側外部操作部材によりフレーム側開閉部材１５４，１５４が開操作されると、カギ形係止部１６８やフック形係止部１７２，１７２による開作動阻止機能が自動解除されてしまうことから、フレーム側開閉部材１５４，１５４に予期しない外力が及ぼされたりした場合に、一対のフレーム側開閉部材１５４，１５４が不用意に開作動してしまうことが避けられない。そこで、本実施形態では、更に、フレーム側開閉部材１５４，１５４の誤作動を防止するための第一の安全ロック機構が設けられている。
【０１３４】
この第一の安全ロック機構は、フレーム側ハウジング１５２内に組み込まれて、フレーム側開閉部材１５４の開作動を阻止するロックブロック１７６を含んで構成されている。かかるロックブロック１７６は、フレーム側ハウジング１５２内で上下方向に突設されたガイド軸１７８に沿って上下方向で移動可能とされていると共に、ガイド軸１７８に外挿装着された圧縮コイルスプリング１８０で常時上方に向かって付勢されている。
【０１３５】
そして、圧縮コイルスプリング１８０で付勢された上端位置では、ロックブロック１７６の上部に形成されたロック部１８２が、係止片１６４に形成された係止部１８４に嵌まり込んで係止されている。ロック部１８２と係止部１８４との係止状態下では、フレーム側押圧部材１６０の軸部材１６２回りの回動が阻止されており、それ故、フレーム側開閉部材１５４の操作によるフレーム側開閉部材１５４，１５４の開作動が防止されている。
【０１３６】
このようなロックブロック１７６による安全ロックを解除するために、ロック解除レバー１８６が設けられている。このロック解除レバー１８６は、軸部材１６２回りで回動可能な状態で、フレーム側ハウジング１５２から上方に突出して配設されており、フレーム側ハウジング１５２内に向かって下方に突出する解除用突部１８８を備えている。そして、このロック解除レバー１８６を、図３９に示されたロック状態から軸部材１６２回りで図中の左方向に回転操作すると、解除用突部１８８が、ロックブロック１７６の上端面に形成された傾斜面を押圧して、ロックブロック１７６が、圧縮コイルスプリング１８０の付勢力に抗して下方に押し下げられるようになっている。
【０１３７】
このようにして、ロックブロック１７６が押し下げられると、ロックブロック１７６のロック部１８２における係止片１６４の係止部１８４への嵌まり込みが解除される。これにより第一の安全ロック機構が解除されることとなり、フレーム側外部操作部材によるフレーム側チャック部材１５６の開操作が可能となるのである。
【０１３８】
なお、フレーム側外部操作部材の予期しない作動を防止するための第一の安全ロック機構は、本実施形態のものに限定されることなく、例えばフレーム側ハウジング１５２から突出せしめられてフレーム側開閉部材１５４に当接することでフレーム側開閉部材１５４の開作動を阻止する阻止突起を、圧縮ばねで自動復帰する押ボタン構造をもって設けることなどによっても実現され得る。
【０１３９】
その他、上述の第二の実施形態における各構造も、第一の実施形態と同様に、本発明の趣旨を逸脱しない限り、当業者の知識に基づいて種々なる変更，修正，改良を加えた態様において実施可能であり、また、そのような各態様は、何れも、本発明の範囲内に含まれるものである。
【符号の説明】
【０１４０】
１０：点滴スタンド，１２：支柱，１４：基台，１６：支持腕，１８：処置液収容体，２０：環状突起，２２：エンドキャップ，２４：ハブ部，２６：脚部，２８：キャスター，３０：ハウジング，３１：固定ボルト，３２：収容スペース，３４：側方窓部，３６：蓋体，３８：上壁部，４０：挿通切欠，４２：支持片（軸方向支持部），４４：下側空間，４６：チャック部材，４８ａ，４８ｂ：開閉部材，４９：開閉軸，５０：把持孔，５１：嵌合突起，５２：嵌合穴，５３ａ，５３ｂ：係合突部，５４：隙間，５６ａ，５６ｂ：係合溝，５８：金属ばね，６０：底部，６２：側壁，６４：中間受片，６６：支持プレート，６８：固定ビス，７０：サービスホール，７２：カム片（押圧部材），７４：駆動ロッド，７６：連結ピン，７７：貫通孔，７８：外部操作部材，８０：支軸，８２：圧縮スプリング，８４：係止軸，８６：先端操作部，８８：患者支持装置，９０：アタッチメント部，９１ａ：上側取付片，９１ｂ：下側取付片，９２：フレーム，９４：固定支持部，９６：載置部，９８：把持部，９９：嵌合溝，１００：閂，１０２：支軸，１０４：係止ピン，１１０：基台，１１２：押圧作用面，１１４：切欠き，１１６：係合穴（係合凹所），１１８：ストッパ片，１２０：開口窓，１２２：フレーム，１２４：把持部，１２６：係止部，１２８：固定支持部，１３０：載置台，１３２：囲繞壁，１３４：載置面，１３６：案内面（スロープ），１３８：貫通孔，１４０：係合部材，１４２：作用レバー（解除操作部材），１４４：支軸，１４６：金属バネ，１５０：フレーム側蓋体，１５１：フレーム側嵌合突起，１５２：フレーム側ハウジング，１５４：フレーム側開閉部材，１５６：フレーム側チャック部材，１５８：金属ばね，１６０：フレーム側押圧部材，１６２：軸部材，１６４：操作片，１６６：係合凹部，１６８：カギ形係止部，１７０：係合凸部，１７２：フック形係止部，１７６：ロックブロック，１７８：ガイド軸，１８０：圧縮コイルスプリング，１８２：ロック部，１８４：係止部，１８６：ロック解除レバー，１８８：解除用突部
【図１】
0006008652.tif 000002
【図２】
0006008652.tif 000003
【図３】
0006008652.tif 000004
【図４】
0006008652.tif 000005
【図５】
0006008652.tif 000006
【図６】
0006008652.tif 000007
【図７】
0006008652.tif 000008
【図８】
0006008652.tif 000009
【図９】
0006008652.tif 000010
【図１０】
0006008652.tif 000011
【図１１】
0006008652.tif 000012
【図１２】
0006008652.tif 000013
【図１３】
0006008652.tif 000014
【図１４】
0006008652.tif 000015
【図１５】
0006008652.tif 000016
【図１６】
0006008652.tif 000017
【図１７】
0006008652.tif 000018
【図１８】
0006008652.tif 000019
【図２５】
0006008652.tif 000020
【図２６】
0006008652.tif 000021
【図３３】
0006008652.tif 000022
【図３４】
0006008652.tif 000023
【図３５】
0006008652.tif 000024
【図４２】
0006008652.tif 000025
【図１９】
0006008652.tif 000026
【図２０】
0006008652.tif 000027
【図２１】
0006008652.tif 000028
【図２２】
0006008652.tif 000029
【図２３】
0006008652.tif 000030
【図２４】
0006008652.tif 000031
【図２７】
0006008652.tif 000032
【図２８】
0006008652.tif 000033
【図２９】
0006008652.tif 000034
【図３０】
0006008652.tif 000035
【図３１】
0006008652.tif 000036
【図３２】
0006008652.tif 000037
【図３６】
0006008652.tif 000038
【図３７】
0006008652.tif 000039
【図３８】
0006008652.tif 000040
【図３９】
0006008652.tif 000041
【図４０】
0006008652.tif 000042
【図４１】
0006008652.tif 000043